(57)【要約】【課題】消費電力を削減する。【解決手段】データ線駆動回路２００は、アナログ形式の入力画像信号Ｖｒ，Ｖｇ，Ｖｂを伝送するビデオ信号線Ｌｒ，Ｌｇ，Ｌｂと、入力画像信号を点順次で時系列にサンプリングして出力画像信号を出力するサンプリング回路２２０と、出力画像信号を増幅してデータ信号としてデータ線に出力する信号供給回路２３０とを備える。信号供給回路２３０は、出力画像信号を増幅する電圧増幅回路２３１Ａとバッファ回路２３２とを備える。【選択図】図２
2009186536.tif 000002
【特許請求の範囲】
【請求項１】
複数の走査線と、複数のデータ線と、前記走査線と前記データ線との交差に対応して設けられた複数の画素回路とを備え、選択された走査線に対応する画素回路に表示すべき階調に応じた大きさのデータ信号を書き込む電気光学装置に用いられるデータ線駆動回路であって、
表示すべき階調に応じた大きさの振幅を有し、アナログ形式の入力画像信号を伝送する画像信号線と、
前記信号線と電気的に接続され、前記入力画像信号を時系列にサンプリングして出力画像信号を出力するサンプリング回路と、
前記出力画像信号を増幅して前記データ信号として前記データ線に出力する信号供給回路とを、
備えたことを特徴とするデータ線駆動回路。
【請求項２】
前記信号供給回路は、
基準電圧に対する前記入力画像信号の電圧を増幅して電圧増幅信号として出力する電圧増幅回路と、
前記電圧増幅信号を電流増幅して前記データ信号として前記データ線に出力するバッファ回路とを、
を備えることを特徴とする請求項１に記載のデータ線駆動回路。
【請求項３】
所定の周期で高電位と低電位とを選択して前記基準電圧を生成する基準電圧生成回路を備えることを特徴とする請求項２に記載のデータ線駆動回路。
【請求項４】
前記電圧増幅回路は、前記基準電圧に対する前記出力画像信号の電圧をＮ（Ｎは２以上の自然数）倍に昇圧して前記電圧増幅信号を出力することを特徴とする請求項２または３に記載のデータ線駆動回路。
【請求項５】
前記データ線の本数をｋ×ｍ（ｋは自然数、ｍは２以上の自然数）本とし、点順次のデータ信号の書き込みの一単位をｋ個の画素回路に対するものとするデータ線駆動回路であって、
前記電圧増幅回路は、
制御クロック信号を供給するクロック信号線と、
各々が一単位となるｍ個のサンプリング信号を生成するサンプリング信号生成回路と、
ｍ個の電圧増幅ユニットとを備え、
前記ｍ個の電圧増幅ユニットの各々は、
各々が前記出力画像信号を増幅するｋ個のサブユニットと、
前記サンプリング信号と前記制御クロック信号とに基づいて、前記ｋ個のサブユニットの動作を制御する制御信号を生成する制御信号生成回路とを備え、
前記クロック信号線は、前記ｍ個の電圧増幅ユニットに電気的に接続される、
ことを特徴とする請求項４に記載のデータ線駆動回路。
【請求項６】
前記データ線の本数をｋ×ｍ（ｋは自然数、ｍは２以上の自然数）本とし、点順次のデータ信号の書き込みの一単位をｋ個の画素回路に対するものとするデータ線駆動回路であって、
前記電圧増幅回路は、
制御クロック信号を供給するクロック信号線と、
各々が一単位となるｍ個のサンプリング信号を生成するサンプリング信号生成回路と、
ｍ個の電圧増幅ユニットと、
前記ｍ個の電圧増幅ユニットの各々に対応して設けられ、各電圧増幅ユニットと前記クロック信号線とを電気的に接続するか分離するかを制御するｍ個のクロック制御ユニットとを備え、
前記ｍ個の電圧増幅ユニットの各々は、
各々が前記出力画像信号を増幅するｋ個のサブユニットと、
前記サンプリング信号と前記制御クロック信号とに基づいて、前記ｋ個のサブユニットの動作を制御する制御信号を生成する制御信号生成回路とを備える、
ことを特徴とする請求項４に記載のデータ線駆動回路。
【請求項７】
複数のデータ線と、
複数の走査線と、
前記データ線と前記走査線との交差に対応して設けられた複数の画素回路と、
請求項１乃至６のうちいずれか１項に記載のデータ線駆動回路と、
前記複数の走査線を順次選択する走査線駆動回路と、
を備える電気光学装置。
【請求項８】
アナログ入力端子と、
デジタル入力端子と、
前記アナログ入力端子に供給されるアナログ画像信号の振幅を減衰させ、前記入力画像信号として前記ビデオ信号線に出力する減衰回路と、
前記デジタル入力端子に供給されるデジタル画像信号をアナログ信号に変換して、前記入力画像信号として前記ビデオ信号線に出力するＤＡ変換回路とを備える、
ことを特徴とする電気光学装置。
【請求項９】
請求項７または８に記載の電気光学装置を備えることを特徴とする電子機器。
【請求項１０】
複数の走査線と、複数のデータ線と、前記走査線と前記データ線との交差に対応して設けられた複数の画素回路とを備える電気光学装置に用いられ、選択された走査線に対応する画素回路に表示すべき階調に応じた大きさのデータ信号を書き込むデータ線駆動方法であって、
表示すべき階調に応じた大きさの振幅を有しアナログ形式の入力画像信号を画像信号線に出力し、
前記信号線を介して供給される前記入力画像信号を時系列にサンプリングして出力画像信号を生成し、
前記出力画像信号を増幅して前記データ信号として前記データ線に出力する、
ことを特徴とするデータ線駆動方法。
【発明の詳細な説明】
【技術分野】
【０００１】
本発明は、液晶などの電気光学素子を駆動する技術に関する。
【背景技術】
【０００２】
電気エネルギーによって光学特性が変化する電気光学素子を備えた電気光学装置として、液晶装置が知られている。液晶装置では、印加電圧によって透過率が変化する液晶素子を電気光学素子として備える。液晶装置は、複数の走査線と複数のデータ線とを備え、それらの交差に対応して複数の画素が設けられている。各画素は、トランジスタと画素電極とを備え、画素電極と対向電極との間に液晶が挟持されている。液晶素子は、画素電極、対向電極及び液晶で構成される。液晶装置は、複数の走査線を順次選択し、選択されている期間にデータ線を介して、データ信号を画素に書き込むことによって行われる。
データ信号の書込方式には、線順次駆動と点順次駆動とがある。線順次駆動では、走査線が選択されている期間に、複数のデータ線を介して複数の画素に同時にデータ信号を書き込む。一方、点順次駆動では、走査線が選択されている期間に、複数のデータ線に対して順番にデータ信号を供給して複数の画素に順番にデータ信号を書き込む。
特許文献１には、点順次駆動のデータ線駆動回路が開示されている。この回路は、ビデオ信号をビデオ信号線に供給し、複数のデータ線の各々とビデオ信号線との間に設けられた複数のサンプリング用スイッチをシフトレジスタで生成されるサンプリング信号を用いて順次オン状態とすることで、サンプリングしたビデオ信号をデータ線に供給している。
【０００３】
【特許文献１】特開平８−２６３０１６号公報（図４、段落番号０００５）
【発明の開示】
【発明が解決しようとする課題】
【０００４】
ところで、上述した従来の点順次方式では、ビデオ信号をサンプリングしてデータ線に供給しているから、ビデオ信号の電圧振幅は、液晶を駆動するための振幅電圧の範囲によって定まる。また、ビデオ信号線には寄生容量が付随するので、ビデオ信号線にビデオ信号を供給する供給回路は、容量性の負荷を駆動する必要があった。
したがって、供給回路は、容量性の負荷を液晶駆動のために必要な振幅電圧で駆動する必要があるため、消費電力が大きいといった問題があった。
また、点順次駆動方式ではビデオ信号のサンプリング期間が短いので、供給回路は高速で容量性の負荷を駆動する必要があり、高い駆動能力が必要とされるといった問題があった。
さらに、サンプリング用スイッチは、大振幅のビデオ信号を確実にスイッチングする必要があるため、大振幅のサンプリング信号をシフトレジスタで生成する必要があり、シフトレジスタの消費電力が大きいといった問題があった。
【０００５】
本発明は、このような事情に鑑みてなされたものであり、点順次方式を採用する電気光学装置において、消費電力を削減しつつ高速駆動を実現することを解決課題とする。
【課題を解決するための手段】
【０００６】
上述した課題を解決するために、本発明のデータ線駆動回路は、複数の走査線と、複数のデータ線と、前記走査線と前記データ線との交差に対応して設けられた複数の画素回路とを備え、選択された走査線に対応する画素回路に表示すべき階調に応じた大きさのデータ信号を書き込む電気光学装置に用いられるものであって、表示すべき階調に応じた大きさの振幅を有し、アナログ形式の入力画像信号を伝送する画像信号線と、前記信号線と電気的に接続され、前記入力画像信号を時系列にサンプリングして出力画像信号を出力するサンプリング回路と、前記出力画像信号を増幅して前記データ信号として前記データ線に出力する信号供給回路とを備えたことを特徴とする。
この発明によれば、サンプリング回路の後段に設けられた信号供給回路によって、入力画像信号を増幅したデータ信号をデータ線に供給する。ここで、信号供給回路のゲインをＧとすれば、データ信号と比較して入力画像信号の振幅は、１／Ｇとなる。したがって、画像信号線の駆動に要する消費電力を削減することが可能となる。また、入力画像信号の振幅を小さくできるので、画像信号線に寄生容量が付随していても、高速で画像信号線を駆動することが可能となり、サンプリング信号と入力画像信号との間の遅延を抑圧して点順次のサンプリングの誤動作を防止することができる。
【０００７】
信号供給回路の具体的な態様として、基準電圧に対する前記入力画像信号の電圧を増幅して電圧増幅信号として出力する電圧増幅回路と、前記電圧増幅信号を電流増幅して前記データ信号として前記データ線に出力するバッファ回路とを備えることが好ましい。この場合には、電圧増幅回路で電圧増幅をして、バッファ回路で電流増幅をすることができる。ここで、バッファ回路の電圧ゲインは１であってもよいし、あるいは、１以上であってもよい。なお、基準電圧は所定の周期で変動してもよいし、固定であってもよい。
【０００８】
また、上述したデータ線駆動回路は、所定の周期で高電位と低電位とを選択して前記基準電圧を生成する基準電圧生成回路を備えることが好ましい。例えば、画素回路に電気光学素子の一態様として、印加電圧に応じて透過率が変化する液晶素子を用いる場合には、印加電圧の極性を所定の周期で反転させる必要がある。この基準電圧生成回路を採用することによって、簡易に極性反転を行うことができる。
【０００９】
さらに、前記電圧増幅回路は、前記基準電圧に対する前記出力画像信号の電圧をＮ（Ｎは２以上の自然数）倍に昇圧して前記電圧増幅信号を出力することが好ましい。
ここで、前記データ線の本数をｋ×ｍ（ｋは自然数、ｍは２以上の自然数）本とし、点順次のデータ信号の書き込みの一単位をｋ個の画素回路に対するものとするデータ線駆動回路では、前記電圧増幅回路は、制御クロック信号を供給するクロック信号線と、各々が一単位となるｍ個のサンプリング信号を生成するサンプリング信号生成回路と、ｍ個の電圧増幅ユニットとを備え、前記ｍ個の電圧増幅ユニットの各々は、各々が前記出力画像信号を増幅するｋ個のサブユニットと、前記サンプリング信号と前記制御クロック信号とに基づいて、前記ｋ個のサブユニットの動作を制御する制御信号を生成する制御信号生成回路とを備え、前記クロック信号線は、前記ｍ個の電圧増幅ユニットに電気的に接続されることが好ましい。この場合、サブユニットは第１電極と第２電極とを有する容量を備え、制御信号に基づいて、第１電極および第２電極に基準電圧に供給するか出力画像信号を供給するかを制御して、基準電圧に対する出力画像信号の電圧を２倍に増幅して、データ信号を生成することが可能となる。
【００１０】
また、前記データ線の本数をｋ×ｍ（ｋは自然数、ｍは２以上の自然数）本とし、点順次のデータ信号の書き込みの一単位をｋ個の画素回路に対するものとするデータ線駆動回路では、前記電圧増幅回路は、制御クロック信号を供給するクロック信号線と、各々が一単位となるｍ個のサンプリング信号を生成するサンプリング信号生成回路と、ｍ個の電圧増幅ユニットと、前記ｍ個の電圧増幅ユニットの各々に対応して設けられ、各電圧増幅ユニットと前記クロック信号線とを電気的に接続するか分離するかを制御するｍ個のクロック制御ユニットとを備え、前記ｍ個の電圧増幅ユニットの各々は、各々が前記出力画像信号を増幅するｋ個のサブユニットと、前記サンプリング信号と前記制御クロック信号とに基づいて、前記ｋ個のサブユニットの動作を制御する制御信号を生成する制御信号生成回路とを備えるものであってもよい。
この場合には、クロック制御ユニットによって、電圧増幅ユニットとクロック信号線とが必要に応じて電気的に接続されるので、クロック信号線に付随する電圧増幅ユニットの入力容量を削減することができる。このため、クロック信号線を駆動する回路の消費電力を削減することができ、クロック信号線を介して制御クロック信号を高速で伝送することが可能となる。
【００１１】
次に、本発明に係る電気光学装置は、複数のデータ線と、複数の走査線と、前記データ線と前記走査線との交差に対応して設けられた複数の画素回路と、上述したデータ線駆動回路と、前記複数の走査線を順次選択する走査線駆動回路とを備える。この電気光学装置によれば消費電力を大幅に削減することができる。
【００１２】
また、上述した電気光学装置において、アナログ入力端子と、デジタル入力端子と、前記アナログ入力端子に供給されるアナログ画像信号の振幅を減衰させ、前記入力画像信号として前記ビデオ信号線に出力する減衰回路と、前記デジタル入力端子に供給されるデジタル画像信号をアナログ信号に変換して、前記入力画像信号として前記ビデオ信号線に出力するＤＡ変換回路とを備えることが好ましい。
アナログ画像信号の電圧振幅は規格によって統一されているので、減衰器によって減衰した後に入力画像信号として取り扱うことによって、電気光学装置の消費電力を低減することができる。また、ＤＡ変換回路では、電圧増幅回路のゲインを考慮してアナログ信号に変換することによって、消費電力を削減することができる。
【００１３】
次に、本発明に係る電子機器は、上述した電気光学装置を備えることを特徴とする。そのような電子機器としては、パーソナルコンピュータ、携帯電話機、および携帯情報端末など該当する。
【００１４】
次に、本発明に係るデータ線駆動方法は、複数の走査線と、複数のデータ線と、前記走査線と前記データ線との交差に対応して設けられた複数の画素回路とを備える電気光学装置に用いられ、選択された走査線に対応する画素回路に表示すべき階調に応じた大きさのデータ信号を書き込むデータ線の駆動方法であって、表示すべき階調に応じた大きさの振幅を有しアナログ形式の入力画像信号を画像信号線に出力し、前記信号線を介して供給される前記入力画像信号を時系列にサンプリングして出力画像信号を生成し、前記出力画像信号を増幅して前記データ信号として前記データ線に出力することを特徴とする。子の発明によれば、データ信号と比較して入力画像信号の振幅を小さくできるから、画像信号線の駆動に要する消費電力を削減することが可能となる。また、画像信号線に寄生容量が付随していても、高速で画像信号線を駆動することが可能となり、サンプリング信号と入力画像信号との間の遅延を抑圧して点順次のサンプリングの誤動作を防止することができる。
【発明を実施するための最良の形態】
【００１５】
＜１．第１実施形態＞
図１は、本発明の第１実施形態に係る電気光学装置１の概略構成を示すブロック図である。電気光学装置１は、表示パネルＡＡと制御回路６００とを備える。
表示パネルＡＡは、素子基板と、対向電極が形成された対向基板と、これらの基板に挟持される液晶によって構成される。素子基板には、ＴＦＴ（Thin Film Transistor：薄膜トランジスタ）と用いて各種の回路等が形成される。より具体的には、素子基板に表示領域Ａ、走査線駆動回路１００、およびデータ線駆動回路２００が形成される。このうち、画素領域Ａには、Ｘ方向と平行にｎ本の走査線１０１が形成される。また、Ｘ方向と直交するＹ方向と平行に３ｍ本のデータ線１０３が形成される。そして、走査線１０１とデータ線１０３との各交差に対応して画素回路４００が各々設けられている。図１において、画素回路４００に示す符号［Ｒ］［Ｇ］［Ｂ］は、Ｒ色、Ｇ色、およびＢ色に対応することを示す。Ｒ色、Ｇ色、およびＢ色に対応する画素回路４００は、サブ画素に各々対応し、これらの組によって１つのメイン画素が構成される。
【００１６】
画素回路４００は、選択トランジスタ５０、保持容量５１、および画素電極６を備える。画素電極６は対向電極と対向しており、画素電極６、対向電極、およびこれらの間に挟持された液晶によって、電気光学素子たる液晶素子が構成される。液晶素子は対向電極と画素電極６との間に印加される電圧の実効値に応じて光学特性たる透過率が変化する。選択トランジスタ５０のオン・オフは走査線１０１を介して供給される走査信号によって制御される。走査信号が有効になると、データ線１０３を介して供給されるデータ信号が画素回路４００に書き込まれ、液晶容量および保持容量６によって保持される。
【００１７】
制御回路６００は各種の制御信号とアナログ形式の入力画像信号Ｖｒ、Ｖｇ、およびＶｂを生成する。制御信号は、共通電位ＶＣＯＭを含む。共通電位ＶＣＯＭは対向電極に供給され、所定周期で反転する。この例では、１水平走査周期で共通電位ＶＣＯＭが反転する。制御信号ならび入力画像信号Ｖｒ、Ｖｇ、およびＶｂは、表示パネルＡＡの端部に形成された複数の入力端子を介して表示パネルＡＡに取り込まれる。
【００１８】
走査線駆動回路１００は、複数の走査線１０１を順次選択するための走査信号Ｙ１、Ｙ２、Ｙ３、…、Ｙｎを生成する。走査信号Ｙ１〜Ｙｎは、Ｙ転送開始パルスＳＰＹをＹクロック信号ＣＬＫＹに同期して順次転送することにより生成される。
走査信号Ｙ１は、１垂直走査期間（１Ｆ）の最初のタイミングから、１水平走査期間（１Ｈ）に相当する幅のパルスであって、１行目の走査線１０１に供給される。以降、このパルスを順次シフトして、２、３、…、ｎ行目の走査線１０１の各々にＹ２、Ｙ３、…、Ｙｎとして供給する。一般的にｉ（ｉは、１≦ｉ≦ｎを満たす整数）行目の走査線１０１に供給される走査信号ＹｉがＨレベルになると、当該走査線１０１が選択される。
【００１９】
データ線駆動回路２００は、３ｍ本のデータ線１０３にデータ信号を供給する。本実施形態では、メイン画素ごとにデータ信号を書き込む点順次駆動を採用する。つまり、Ｒ色、Ｇ色、およびＢ色のサブ画素を同時に書き込む。なお、サブ画素ごとにデータ信号を書き込む点順次駆動を採用してもよいことは勿論である。また、データ線１０３の本数をｋ×ｍ（ｋは自然数、ｍは２以上の自然数）本とし（この例ではｋ＝３）、点順次のデータ信号の書き込みの一単位をｋ個の画素回路４００に対するものとしてもよい。
【００２０】
図２にデータ線駆動回路２００の構成を示す。シフトレジスタ２１０は、Ｘ転送開始パルスＳＰＸをＸクロック信号ＣＬＫＸで順次転送して排他的に有効となるサンプリング信号Ｓｍｐ１、Ｓｍｐ２、…、Ｓｍｐｍを生成する。ビデオ信号線Ｌｒ、Ｌｇ、およびＬｂは入力画像信号Ｖｒ、Ｖｇ、およびＶｂをサンプリング回路２２０に供給する配線であり、図１に示すＸ方向に延存する。その長さは、表示領域Ａの横幅と略一致する。このように長い配線には大きな寄生容量が付随している。
【００２１】
サンプリング回路２２０は３個で１組のサンプリングトランジスタＴＲｒ、ＴＲｇ、およびＴＲｂをｍ組備える。１組のサンプリングトランジスタＴＲｒ、ＴＲｇ、およびＴＲｂは１個のメイン画素に対応している。サンプリングトランジスタは、サンプリング信号Ｓｍｐ１、Ｓｍｐ２、…、Ｓｍｐｍによってオン・オフが制御され、１つのメイン画素に対応する入力画像信号Ｖｒ、Ｖｇ、およびＶｂを順次サンプリングして、出力画像信号Ｖｒ１〜Ｖｒｍ、Ｖｇ１〜Ｖｇｍ、およびＶｂ１〜Ｖｂｍを生成する。
【００２２】
信号供給回路２３０は、出力画像信号Ｖｒ１〜Ｖｒｍ、Ｖｇ１〜Ｖｇｍ、およびＶｂ１〜Ｖｂｍを増幅してデータ信号Ｘ１ｒ〜Ｘｍｒ、Ｘ１ｇ〜Ｘｍｇ、およびＸ１ｂ〜Ｘｍｂを生成し、各データ線１０３に出力する。信号供給回路２３０は、電圧増幅回路２３１とバッファ回路２３２とを備える。この例の電圧増幅回路２３１は、図３に示すようにｎ個の電圧増幅ユニットＵ１〜Ｕｎを備える。各電圧増幅ユニットＵ１は、例えば、入力電圧を２倍に昇圧して出力電圧を生成する電圧ダブラによって構成される。バッファ回路２３２は電圧ゲインが「１」であり、電流増幅の機能を有する。
【００２３】
ここで、データ信号Ｘｒ１に着目すると、信号供給回路２３０のゲインを「Ｇ」としたとき、以下の式が成り立つ。
Ｘ１ｒ＝Ｖｒ１／Ｇ＝Ｖｒ／Ｇ
すなわち、入力画像信号Ｖｒの電圧振幅はデータ信号Ｘｒ１の電圧振幅の１／Ｇで足りる。従来の電気光学装置を点順次駆動する場合、入力画像信号とデータ信号との電圧振幅は一致していたので、大きな寄生容量が付随するビデオ信号線Ｌｒを大振幅で駆動する必要があった。これに対して、本実施形態の電気光学装置では、サンプリング回路２２０からデータ線１０３までの経路に信号供給回路２３０を設け、出力画像信号を電圧増幅してデータ信号を生成したので、ビデオ信号線Ｌｒに供給する入力画像信号Ｖｒの電圧振幅を１／Ｇにすることができる。これによって、制御回路６００の出力段の消費電力を削減すると共に、小さい駆動能力でビデオ信号線Ｌｒを駆動することが可能となる。さらに、スイッチングトランジスタＴＲｒの耐圧を下げることができ、サンプリング信号の振幅を庁振幅にできる。このため、シフトレジスタ２１０の消費電力も削減することができる。
【００２４】
図４に電圧増幅ユニットＵ１は、同一の構成である３個のサブユニットＵ１ｒ、Ｕ１ｇ、およびＵ１ｂと、ゲート回路Ｇ１およびＧ２とを備える。ゲート回路Ｇ１はサンプリング信号Ｓｍｐ１と制御クロック信号Ｂｃｋの論理積を演算して第１制御信号Ｐを生成する一方、ゲート回路Ｇ２は制御クロック信号Ｂｃｋの反転とサンプリング信号Ｓｍｐ１との論理積を演算して第２制御信号Ｑを生成する。
サブユニットＵ１ｒは、５個のスイッチＳ１〜Ｓ５と容量Ｃａを備える。なお、図４に示す容量Ｃｂはバッファ回路２３２へ至る配線の寄生容量であり、その値は容量Ｃａの容量値と比較して極めて小さい。
【００２５】
図５は、データ線駆動回路２００の動作を説明するためのタイミングチャートである。シフトレジスタ２１０は、サンプリング信号Ｓｍｐ１、Ｓｍｐ２、…、Ｓｍｐｍを排他的に有効（Ｈレベル）にする。制御クロック信号Ｂｃｋの１周期は、サンプリング信号のＨレベルの期間と一致する。このため、サンプリング信号Ｓｍｐ１に基づいて生成される第１制御信号Ｐは期間Ｔ２で有効となる一方、第２制御信号Ｑは期間Ｔ１で有効となる。
期間Ｔ１においては、第１制御信号Ｐが無効となり第２制御信号Ｑが有効となるので、図６（Ａ）に示すようにスイッチＳ２、Ｓ３、およびＳ５がオン状態となり、スイッチＳ１およびＳ４がオフ状態となる。このため、ノードＮ１の電圧が基準電圧Ｖrefとなる一方、ノードＮ２の電圧がＶ１ｒとなる。このとき、容量Ｃａには電圧ΔＶが印加される。ここで、ノードＮ１の電位を基準とすれば、電圧ΔＶは、ΔＶ＝Ｖ１ｒ−Ｖrefとなる。
【００２６】
次に、期間Ｔ２においては、第１制御信号Ｐが有効となり第２制御信号Ｑが無効となるので、図６（Ａ）に示すようにスイッチＳ１およびＳ４がオン状態となり、スイッチＳ２、Ｓ３、およびＳ５がオフ状態となる。このため、ノードＮ１の電圧がＶ１rとなる一方、ノードＮ２の電圧がＶ１ｒ＋ΔＶとなる。したがって、データ信号Ｘｒ１は、以下の式で与えられる。
Ｘｒ１＝２Ｖ１ｒ−Ｖref
【００２７】
ここで、基準電圧Ｖrefは、共通電位ＶＣＯＭと等しく、図７に示すように奇数番目の水平走査期間ＨａではＧＮＤとなり、偶数番目の水平走査期間ＨｂではＶｄｄとなる。このように昇圧の基準となる基準電圧Ｖrefを共通電位ＶＣＯＭと一致させることによって、液晶素子へ印加電圧の極性を簡易に反転させることが可能となる。すなわち、この例では、共通電位ＶＣＯＭを基準として、奇数番目の水平走査期間Ｈａでは画素電極６の電位が正極性となる一方、偶数番目の水平走査期間Ｈｂでは画素電極６の電位が負極性となる。したがって、電圧増幅の過程で液晶素子に対する極性反転が可能となる。また、共通電位ＶＣＯＭをＧＮＤとＶｄｄとの間で変化させているので、共通電位ＶＣＯＭを一定する場合と比較してデータ信号の振幅を小さくすることができる。この結果、信号供給回路２３０の消費電力を削減することが可能となる。
【００２８】
＜２．変形例＞
（１）変形例１
上述した実施形態において、電圧増幅回路２３１Ａでは、各増幅ユニットＵ１〜Ｕｍに対して、常に、制御クロック信号Ｂｃｋを供給していた。制御クロック信号Ｂｃｋは、昇圧動作に必要な期間Ｔ２を特定する第１制御信号Ｐと、期間Ｔ１を特定する第２制御信号Ｑを生成するために用いられる。このため、各増幅ユニットＵ１〜Ｕｍからみれば、対応するサンプリング信号Ｓｍｐ１〜Ｓｍｐｍが有効な期間にのみ制御クロック信号Ｂｃｋを取り込めば足りる。変形例１に関わる電圧増幅回路２３１Ｂは、サンプリング信号Ｓｍｐ１〜Ｓｍｐｍが有効な期間にのみ制御クロック信号Ｂｃｋを取り込むことを可能とする。
【００２９】
図８に電圧増幅回路２３１Ｂの構成を示す。電圧増幅回路２３１Ｂは、クロック制御回路２５０を備える点で、電圧増幅回路２３１Ａと相違する。クロック制御回路２５０は、各電圧増幅ユニットＵ１〜Ｕｍに対応して設けられたｍ個のクロック制御ユニットＣ１〜Ｃｍを備える。
【００３０】
クロック制御ユニットＣ１は、トランスファーゲートＴＧ１およびＴＧ２を備える。サンプリング信号Ｓｍｐ１がＨレベル（有効）のとき、トランスファーゲートＴＧ１がオン状態になる一方、トランスファーゲートＴＧ２がオフ状態となる。逆に、サンプリング信号Ｓｍｐ１がＬレベル（無効）のとき、トランスファーゲートＴＧ１がオフ状態になる一方、トランスファーゲートＴＧ２がオン状態となる。すなわち、サンプリング信号Ｓｍｐ１がＨレベル（有効）のときにのみ、制御クロック信号Ｂｃｋを供給するクロック信号線Ｌと電圧増幅ユニットＵ１が電気的に接続され、他の期間において電圧増幅ユニットＵ１とクロック信号線Ｌは電気的に分離される。
【００３１】
ここで、各電圧増幅ユニットＵ１〜Ｕｍの入力容量値をＣｃとし、クロック信号線Ｌの寄生容量値をＣｆとすると、上述した実施形態におけるクロック信号線Ｌの等価容量値は、Ｃｆ＋ｍ・Ｃｃとなる。一方、電圧増幅回路２３１Ｂにおける等価容量値はＣｆ＋Ｃｃとなる。この変形例１によれば、制御回路６００の出力段に設けられた制御クロック信号Ｂｃｋを供給する供給回路の消費電力を削減することができると共に、出力段の駆動能力を小さくできるので、構成を簡素化することが可能となる。
【００３２】
（２）変形例２
上述した実施形態および変形例１では、電圧増幅回路２３１Ａおよび２３１Ｂにおいて、制御クロック信号Ｂｃｋを必要としたが、電圧増幅ユニットＵ１〜Ｕｍの替わりに
図９に示す電圧増幅ユニットＵ’を用いることによって省略することができる。オペアンプＯＰの正入力端子には、基準電圧Ｖrefが供給される。出力信号Ｖoutは以下の式で与えられる。
Ｖout＝（１＋Ｒ２／Ｒ１）Ｖref−（Ｒ２／Ｒ１）Ｖin
この場合にも、基準電圧Ｖrefを共通電位ＶＣＯＭに同期して反転させることによって、液晶に印加する電圧の極性を反転させることができる。
【００３３】
（３）変形例３
上述した実施形態、変形例１および変形例２において、電気光学装置１がアナログ入力とデジタル入力に対応する場合には、図１０に示すようにアナログ入力の系統に減衰器を設けてもよい。この場合、電圧増幅回路のゲインをＧとした場合、減衰器のゲインは１／Ｇに設定してもよい。アナログ形式の画像信号の電圧振幅は規格によって統一されているので、減衰器によって減衰した後に入力画像信号として取り扱うことによって、電気光学装置の消費電力を低減することができる。また、ＤＡ変換回路では、電圧増幅回路のゲインを考慮してアナログ信号に変換することによって、消費電力を削減することができる。
【００３４】
（４）変形例４
上述した実施形態、変形例１〜３において、電気光学装置の一例として、液晶表示装置を取上げて説明したが、本発明はこれに限定されるものではなく、電気的な作用により光学特性が変化する電気光学素子を用いた装置であれば、いかなるものにも適用することができる。そのような電気光学素子としては、有機エレクトロルミネッセンス素子や発光ポリマー素子などと呼ばれる有機発光ダイオード（Organic Light Emitting ＶioＶe）素子が含まれる。有機発光ダイオード素子は、低分子、高分子もしくはデンドリマー等の発光有機材料を用いる。さらに、電気光学素子には、無機ＥＬ素子や、フィールド・エミッション（ＦＥ）素子、表面伝導型エミッション（ＳＥ）素子、弾道電子放出（ＢＳ）素子、ＬＥＶなどの他の自発光素子、さらには、電気泳動素子、エレクトロ・クロミック素子などを用いても良い。
【００３５】
＜３．応用例＞
次に、上述した実施形態及び変形例に係る電気光学装置１を適用した電子機器について説明する。図１１に、電気光学装置１を適用したモバイル型のパーソナルコンピュータの構成を示す。パーソナルコンピュータ２０００は、表示ユニットとしての電気光学装置１と本体部２０１０を備える。本体部２０１０には、電源スイッチ２００１及びキーボード２００２が設けられている。
【００３６】
図１２に、電気光学装置１を適用した携帯電話機の構成を示す。携帯電話機３０００は、複数の操作ボタン３００１およびスクロールボタン３００２、並びに表示ユニットとしての電気光学装置１を備える。スクロールボタン３００２を操作することによって、電気光学装置１に表示される画面がスクロールされる。
【００３７】
図１３に、電気光学装置１を適用した情報携帯端末（ＰＶＡ：Personal Ｖigital Assistants）の構成を示す。情報携帯端末４０００は、複数の操作ボタン４００１および電源スイッチ４００２、ならびに表示ユニットとしての電気光学装置１を備える。電源スイッチ４００２を操作すると、住所録やスケジュール帳といった各種の情報が電気光学装置１に表示される。
【００３８】
なお、電気光学装置１が適用される電子機器としては、図１１〜１３に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器、および電子ペーパー等などが挙げられる。そして、これらの各種電子機器の表示部として、前述した電気光学装置が適用可能である。
【図面の簡単な説明】
【００３９】
【図１】本発明の実施形態に係る電気光学装置１の構成を示すブロック図である。
【図２】データ線駆動回路２００の構成を示すブロック図である。
【図３】電圧増幅回路２３１Ａの構成を示すブロック図である。
【図４】電圧増幅ユニットＵ１の構成を示す回路図である。
【図５】データ線駆動回路２００の動作を説明するためのタイミングチャートである。
【図６】サブユニットの動作を説明するための説明図である。
【図７】基準電圧の変化を示すタイミングチャートである。
【図８】変形例１に係る電圧増幅回路２３１Ｂのブロック図である。
【図９】変形例２に係るサブユニットの回路図である。
【図１０】変形例３に係る入力部のブロック図である。
【図１１】同装置を適用したモバイル型のパーソナルコンピュータの構成を示す斜視図である。
【図１２】同電気光学装置を適用した携帯電話機の構成を示す斜視図である。
【図１３】同電気光学装置を適用した携帯情報端末の構成を示す斜視図である。
【符号の説明】
【００４０】
１…電気光学装置、１００…走査線駆動回路、１０１…走査線、１０３…データ線、２００…データ線駆動回路、２１０…シフトレジスタ（サンプリング信号生成回路）、２２０…サンプリング回路、２３０…信号供給回路、２３１Ａ，２３１Ｂ…電圧増幅回路、２３２…バッファ回路、４００…画素回路、Ｌｒ，Ｌｇ，Ｌｂ…ビデオ信号線（画像信号線）、Ｂｃｋ…制御クロック信号、Ｕ１〜Ｕｍ…電圧増幅ユニット、Ｕ１ｒ，Ｕ１ｇ，Ｕ１ｂ…サブユニット、Ｌ…クロック信号線。
【図１】
2009186536.tif 000003
【図２】
2009186536.tif 000004
【図３】
2009186536.tif 000005
【図４】
2009186536.tif 000006
【図５】
2009186536.tif 000007
【図６】
2009186536.tif 000008
【図７】
2009186536.tif 000009
【図８】
2009186536.tif 000010
【図９】
2009186536.tif 000011
【図１０】
2009186536.tif 000012
【図１１】
2009186536.tif 000013
【図１２】
2009186536.tif 000014
【図１３】
2009186536.tif 000015